【手続補正書】
【提出日】平成22年11月17日(2010.11.17)
【手続補正１】
【補正対象書類名】特許請求の範囲
【補正対象項目名】全文
【補正方法】変更
【補正の内容】
【特許請求の範囲】
【請求項１】
遊技媒体を用いて所定の遊技を行い、特定条件が成立したときに遊技者にとって有利な特定遊技状態に移行させる遊技機であって、
遊技機に設けられた電気部品を制御する電子部品が搭載された基板を収納可能な基体と蓋体とを有する収納ケースを備え、
前記蓋体には、複数の蓋体側固着部が設けられ、
前記基体には、前記基体と前記蓋体とが位置合わせされたときに前記蓋体側固着部と対向する複数の基体側固着部が設けられ、
前記複数の蓋体側固着部のうちの一の蓋体側固着部と、対向する基体側固着部とを固着部材によって固着することにより、前記収納ケースを、前記収納ケースの一部である一の切断部を切断するか前記収納ケースを破壊しない限り開封不能な封止状態に設定可能であり、
前記封止状態において、前記一の切断部を切断し、封止状態を解除した後に再び他の蓋体側固着部と、対向する蓋体側固着部とを固着部材によって固着することにより、前記収納ケースを、再び前記封止状態に設定可能であり、
前記複数の蓋体側固着部のうち一の蓋体側固着部は、内部に固着部材を収納する収納部を有し、
前記固着部材は、前記収納部の底面に当接させるための頭部と、該頭部から一方に延びる結合部と、前記頭部の他方に連結部を介して連結され工具により操作可能な操作部とを有し、
前記収納部は、前記結合部の先端側に対向する面に前記結合部が挿通可能な挿通穴と、該挿通穴の反対側の面に前記操作部よりも小さな操作穴を有する蓋部材とを備え、
前記収納部に収納された前記固着部材が前記蓋部材の操作穴を介して操作されることにより前記結合部を前記基体側固着部の内部に進入させ、前記封止状態において、前記連結部が破断されることによって前記頭部から分離した前記操作部が前記収納部の内部に残存し、
前記一の切断部を被覆する被覆手段と、
前記一の切断部が前記被覆手段により被覆された状態において、前記被覆手段による被覆を解除しない限り、前記収納ケースの前記封止状態を解除不能にする切断部封止手段とを備えた
ことを特徴とする遊技機。
【請求項２】
遊技媒体を用いて所定の遊技を行い、特定条件が成立したときに遊技者にとって有利な特定遊技状態に移行させる遊技機であって、
遊技機に設けられた電気部品を制御する電子部品が搭載された基板を収納可能な基体と蓋体とを有する収納ケースを備え、
前記蓋体には、複数の蓋体側固着部が設けられ、
前記基体には、前記基体と前記蓋体とが位置合わせされたときに前記蓋体側固着部と対向する複数の基体側固着部が設けられ、
前記複数の蓋体側固着部のうちの一の蓋体側固着部と、対向する基体側固着部とを固着部材によって固着することにより、前記収納ケースを、前記収納ケースの一部である一の切断部を切断するか前記収納ケースを破壊しない限り開封不能な封止状態に設定可能であり、
前記封止状態において、前記一の切断部を切断し、封止状態を解除した後に再び他の蓋体側固着部と、対向する蓋体側固着部とを固着部材によって固着することにより、前記収納ケースを、再び前記封止状態に設定可能であり、
前記複数の蓋体側固着部の各々は、内部に固着部材を収納する収納部を有し、
前記収納部のうち一の収納部は、前記固着部材が外部に露出することを防止するための一の固着部被覆部材を装着可能に形成され、
前記収納部のうち他の収納部における上部は、他の固着部被覆部材を装着可能に形成され、
前記他の固着部被覆部材が前記一の収納部に装着不能に前記収納部を形成するか、または、前記一の固着部被覆部材の形状と色の一方もしくは双方と、前記他の固着部被覆部材の形状と色の一方もしくは双方とを異ならせた
ことを特徴とする遊技機。
【請求項３】
遊技媒体を用いて所定の遊技を行い、特定条件が成立したときに遊技者にとって有利な特定遊技状態に移行させる遊技機であって、
遊技機に設けられた電気部品を制御する電子部品が搭載された基板を収納可能な基体と蓋体とを有する収納ケースを備え、
前記蓋体には、複数の蓋体側固着部が設けられ、
前記基体には、前記基体と前記蓋体とが位置合わせされたときに前記蓋体側固着部と対向する複数の基体側固着部が設けられ、
前記複数の蓋体側固着部のうちの一の蓋体側固着部と、対向する基体側固着部とを固着部材によって固着することにより、前記収納ケースを、前記収納ケースの一部である一の切断部を切断するか前記収納ケースを破壊しない限り開封不能な封止状態に設定可能であり、
前記封止状態において、前記一の切断部を切断し、封止状態を解除した後に再び他の蓋体側固着部と、対向する蓋体側固着部とを固着部材によって固着することにより、前記収納ケースを、再び前記封止状態に設定可能であり、
前記複数の蓋体側固着部の各々は、内部に固着部材を収納する収納部を有し、
最初に封止状態に設定するために使用される固着部材の色と、２回目以降に封止状態に設定するために使用される固着部材の色とを異ならせた
ことを特徴とする遊技機。
【手続補正２】
【補正対象書類名】明細書
【補正対象項目名】００２４
【補正方法】変更
【補正の内容】
【００２４】
切断部封止手段が、被覆手段と遊技機本体とを分離不能に封止し、被覆手段の一部である被覆切断部を切断しない限り収納ケースを遊技機本体から着脱不能に構成されている態様では、収納ケースの切断部に容易に接触できず、また、基板に接触する場合には、切断や破壊によって被覆手段による被覆を解除し、その上で、破壊または切断によって収納ケースの封止を解除する必要があり、基板に対する不正行為を効果的に防止することができる。
【手続補正３】
【補正対象書類名】明細書
【補正対象項目名】００２５
【補正方法】変更
【補正の内容】
【００２５】
請求項２記載の発明では、収納部のうち一の収納部は、固着部材が外部に露出することを防止するための一の固着部被覆部材を装着可能に形成され、収納部のうち他の収納部における上部は、他の固着部被覆部材を装着可能に形成され、他の固着部被覆部材が一の収納部に装着不能に収納部を形成するか、または、一の固着部被覆部材の形状と色の一方もしくは双方と、他の固着部被覆部材の形状と色の一方もしくは双方とを異ならせたので、中古品の遊技機に取付けられている収納ケースに予備として取付けられている２回目以降の固着部被覆部材を取り出して使用しようとしても、装着不能、または装着できても異品であることが視認可能であることから不正行為をしづらくすることができる。
【手続補正４】
【補正対象書類名】明細書
【補正対象項目名】００２６
【補正方法】変更
【補正の内容】
【００２６】
遊技機の裏面側に開閉可能に設けられ、遊技媒体を払い出すための払出経路が形成された機構板を備え、被覆手段を機構板の一部に形成し、機構板を開放しない限り被覆手段による被覆状態が解除されないように構成されている態様では、収納ケースの切断部に容易に接触できず、また、基板に接触する場合には、機構板を開放状態にした上で、破壊または切断によって収納ケースの封止を解除する必要があり、基板に対する不正行為を効果的に防止することができる。
【手続補正５】
【補正対象書類名】明細書
【補正対象項目名】００２７
【補正方法】変更
【補正の内容】
【００２７】
収納ケースの一の切断部が被覆手段により被覆された状態にて、被覆手段の一部である被覆切断部を切断しない限り、被覆状態が解除されないように構成し、被覆切断部を、遊技機の裏面側から見て収納ケースと重複する位置であって、収納ケースより遊技機の前面側に設けた態様では、収納ケースの切断部に容易に接触できず、また、基板に接触する場合には、切断や破壊によって被覆手段による被覆を解除し、その上で、破壊または切断によって収納ケースの封止を解除する必要があり、基板に対する不正行為を効果的に防止することができる。
【手続補正６】
【補正対象書類名】明細書
【補正対象項目名】００２８
【補正方法】変更
【補正の内容】
【００２８】
固着部被覆部材と、収納ケースの切断部を被覆する被覆手段とを一体的に形成した態様では、そのままでは収納ケースの切断部の切断が困難になり、また、収納ケースの切断部の切断を容易にするには固着部被覆部材を取り外す必要があり、基板に対する不正行為を効果的に防止することができる。
【手続補正７】
【補正対象書類名】明細書
【補正対象項目名】００２９
【補正方法】変更
【補正の内容】
【００２９】
最初に封止状態に設定するために使用される固着部材の固着方式と、２回目以降に封止状態に設定するために使用される固着部材の固着方式とを異ならせた態様では、中古品の遊技機に取付けられている収納ケースに予備として取付けられている２回目以降の固着部品等を取り出して使用しようとしても、固着方式が異なることから不正行為をしづらくすることができる。
【手続補正８】
【補正対象書類名】明細書
【補正対象項目名】００３０
【補正方法】変更
【補正の内容】
【００３０】
請求項３記載の発明では、最初に封止状態に設定するために使用される固着部材の色と、２回目以降に封止状態に設定するために使用される固着部材の色とを異ならせたので、中古品の遊技機に取付けられている収納ケースに予備として取付けられている２回目以降の固着部品等を取り出して使用した場合に容易にそのことが視認され、不正行為をしづらくすることができる。
【手続補正９】
【補正対象書類名】明細書
【補正対象項目名】００３１
【補正方法】変更
【補正の内容】
【００３１】
配線側コネクタが基板側コネクタに装着された後に基板側コネクタからの配線側コネクタの引き抜きを不能化するためにコネクタを封止するコネクタ封止手段を備え、封止手段を、コネクタ自体、またはコネクタとは別個に設けられた封止部材の一部を破壊しない限り開封不能に構成した態様では、基板を不正基板に換えることがより困難になり、不正行為をより確実に防止することができるようになる。
【手続補正１０】
【補正対象書類名】明細書
【補正対象項目名】００３２
【補正方法】変更
【補正の内容】
【００３２】
遊技制御手段が、検出手段からの検出信号を入力したか否かを判定する入賞判定手段と、特定遊技状態以外の遊技状態において入賞判定手段が検出信号を入力したことにもとづいて、異常報知の実行を指示するための異常報知コマンドを送信する異常報知コマンド送信手段とを含み、演出制御手段が、異常報知コマンド送信手段が送信した異常報知コマンドにもとづいて、演出装置により異常報知を行うように構成されている態様では、特別可変入賞球装置に対する不正行為によって入賞異常が生じたことを報知することができ、その結果、特別可変入賞球装置に対する不正行為を確実に防止することができる。
【手続補正１１】
【補正対象書類名】明細書
【補正対象項目名】００３３
【補正方法】変更
【補正の内容】
【００３３】
遊技制御手段が、開閉判定手段によって普通可変入賞球装置が開閉動作していないと判定されているときに入賞判定手段が検出信号を入力したことにもとづいて、異常報知の実行を指示するための異常報知コマンドを送信する異常報知コマンド送信手段を含み、演出制御手段が、異常報知コマンド送信手段が送信した異常報知コマンドにもとづいて、演出装置により異常報知を行うように構成されている態様では、普通可変入賞球装置に対する不正行為によって入賞異常が生じたことを報知することができ、その結果、普通別可変入賞球装置に対する不正行為を確実に防止することができる。